(57)【要約】【課題】破損し難く、簡易に重量バランスの調整が行なえるマレットゴルフクラブを提供する。【解決手段】本発明のマレットゴルフクラブは、シャフト５と、このシャフトの先端に取り付けられ、少なくとも一方の端部に打撃面を形成した円筒形のヘッド１０とを有する。そして、ヘッド１０に孔部を形成し、この孔部に、ヘッドより比重の大きい重量調整体３０を装着すると共に、重量調整体３０の外表面は、ヘッド１０の外表面より内方に位置することを特徴とする。【選択図】    図１
2005152100.tif 000002
【特許請求の範囲】
【請求項１】
シャフトと、このシャフトの先端に取り付けられ、少なくとも一方の端部に打撃面を形成した円筒形のヘッドとを有するマレットゴルフクラブであって、
前記ヘッドに孔部を形成し、この孔部に、ヘッドより比重の大きい重量調整体を装着すると共に、重量調整体の外表面がヘッドの外表面より内方に位置することを特徴とするマレットゴルフクラブ。
【請求項２】
前記ヘッドの打撃面の対向面を小径に形成すると共に、前記対向面に前記重量調整体を設けたことを特徴とする請求項１に記載のマレットゴルフクラブ。
【請求項３】
前記ヘッドの底面部に重量調整体を設けたことを特徴とする請求項１又は２に記載のマレットゴルフクラブ。
【請求項４】
前記重量調整体は、ヘッドに対して着脱自在に構成されていることを特徴とする請求項１乃至３のいずれか１項に記載のマレットゴルフクラブ。
【発明の詳細な説明】
【技術分野】
【０００１】
本発明は、マレットゴルフクラブに関し、詳細には、ヘッド部分に特徴を有するマレットゴルフクラブに関する。
【背景技術】
【０００２】
従来、マレットゴルフと称されるスポーツがあり、特に、自然環境の豊かな地域では盛んに行なわれている。マレットゴルフは、いわゆるゲートボールにゴルフの要素を加味したスポーツであり、使用される用具（マレットゴルフクラブ）は、一定のルールの範囲内で定められており、例えば、特許文献１に開示されているように、シャフトと、そのシャフトの先端に装着される円筒形のヘッドによって構成されている。
【０００３】
上記したマレットゴルフクラブは、それを使用するプレーヤのスイングの相違や、地面から浮いた状態でスイングするため、重心位置が高いとスイング時の力をボールに伝えられない、等の理由から、ヘッドの重量バランスを調整できるように構成されていることが望ましいが、従来のマレットゴルフクラブでは、そのような重量バランスを調整するという技術思想は提案されていない。一方、特許文献２に開示されているように、ゲートボール用スティックでは、打撃面を有する打撃部材の内側に重りを取り付けた構造が知られている。
【特許文献１】特開平８−１６８５４３号
【特許文献２】特開平９−２５３２５７号
【発明の開示】
【発明が解決しようとする課題】
【０００４】
上記したように、従来のマレットゴルフクラブは、ヘッド部分の重量バランスを調整するという思想は無いため、使用者によっては、ヘッドの重量バランスが悪いという問題がある。一方、特許文献２に開示されているような技術思想をそのままマレットゴルフクラブに適用したとしても、競技方法や用具自体の相違から、十分なバランス調整を行なうことはできない。
【０００５】
すなわち、特許文献２のように、ヘッド開口端に、打撃面を有するキャップの内側に重りを取り付けた構造では、繰り返しの打球によって破損などが生じ易い。特に、マレットゴルフは、ゲートボールよりも飛距離を出すことから衝撃力が強く、打撃面に重りを付けた構造では、破損などが発生し易い。また、打撃部に重りを取り付ける構造が必要となることから、バランスを調整するには限界がある（肉厚の打撃部となってしまい反発が低下する等）。さらに、振り抜き性を向上するためにヘッドの後方側を細径化すると、ヘッド後方側が軽量化することから、従来のように打撃面に重りを装着すると重量バランスがより低下してしまう。
【０００６】
本発明は、上記した問題に着目してなされたものであり、破損し難く、簡易に重量バランスの調整が行なえるマレットゴルフクラブを提供することを目的とする。
【課題を解決するための手段】
【０００７】
上記した課題を解決するために、本発明に係るマレットゴルフクラブは、シャフトと、このシャフトの先端に取り付けられ、少なくとも一方の端部に打撃面を形成した円筒形のヘッドとを有しており、前記ヘッドに孔部を形成し、この孔部に、ヘッドより比重の大きい重量調整体を装着すると共に、重量調整体の外表面がヘッドの外表面より内方に位置することを特徴とする。
【０００８】
このようなマレットゴルフクラブによれば、ヘッドに重量調整体を装着することで、ヘッドの重量バランスを向上することが可能となり、しかも、重量調整体はヘッドの外表面よりも内側に位置することから、重量調整体が他物に当接して破損等することはない。従って、重量調整体部分に破損を防止するための特別な手段を講じる必要もなく、構成が簡略化される。
【０００９】
なお、重量調整体を設ける位置は、ヘッドの全体形状や重量配分等を考慮して、適宜設定することが可能である。また、重量調整体は、ヘッドに対して着脱可能に構成することが好ましい。
【発明の効果】
【００１０】
本発明によれば、ヘッドの重量バランスが容易に行なえると共に、重量調整体を装着する部分が破損し難い構成のマレットゴルフクラブが得られる。
【発明を実施するための最良の形態】
【００１１】
図１〜図５は、本発明に係るマレットゴルフクラブの一実施形態を示す図であり、図１は、全体構成を示す側面図、図２は、ヘッド部分の断面図、図３は、シャフトが装着される部分のヘッドの断面図、図４は、ヘッド部分の背面図、そして、図５は、重量調整体が装着される部分のヘッドの拡大断面図である。
【００１２】
マレットゴルフクラブ１は、シャフト５、及びこのシャフト５の先端に取り付けられる円筒形のヘッド１０とを備えて構成されており、シャフト５は、金属、又はカーボン繊維強化樹脂等によって形成され、ヘッド１０は、アルミ等の金属部材によって形成されている。前記シャフト５の基端側には、所定の長さのグリップ７が取着されると共に、シャフト５の先端側は、ヘッド１０に装着されるシャフト取付部材１２の固定孔１２ａに差し込まれて接着等されることで、ヘッド１０に取り付け、固定される。
【００１３】
前記ヘッド１０は、円筒形に形成されると共に、その内部には、中空部１３が形成されている。この中空部を規定するヘッド１０の上面側には、シャフト取付部材１２が差し込まれる保持孔１５が形成されており、かつ中空部を規定する下面側には、シャフト取付部材１２の先端を差し込んで固定する凹部（穴）１６が形成されている。前記保持孔１５の上部には、段部１５ａが形成されており、ここにシャフト取付部材１２の外周に形成された突部１２ｂが当て付いて位置決め、固定される。また、シャフト取付部材１２の固定孔１２ａの下方側には、段部１２ｃが形成されており、差し込まれるシャフト５の先端を当て付けて位置決め固定するようになっている。
【００１４】
上記したように、シャフト取付部材１２をヘッド１０の上面側に貫通させて固定すると共に、その先端部を下面側に形成された凹部１６に挿入固定することで、それに装着されるシャフト５のヘッドに対する取り付け強度の向上が図れる。また、シャフト取付部材１２の段部１２ｃは、ヘッド１０の凹部１６に達しない程度の位置に形成されており、これにより、凹部１６に対する挿入端を肉厚にすることができ、取り付け強度をより向上することが可能となる。
【００１５】
シャフト取付部材１２とヘッド５の止着は、接着剤によって行なったり、或いはシャフト取付部材１２の外周に雄ネジ部１２ｄを形成し、これをヘッドの保持孔１５に形成された雌ネジ１５ｂに螺合させる構成であっても良い。或いは、螺合と接着の両手段によって固定することで、より取り付け強度を向上することが可能となる。
【００１６】
なお、シャフト取付部材１２のヘッド１０に対する取り付け位置は、図２に示すように、ヘッド１０の長手方向中心よりも打撃面側にすることが好ましく、更には、図３に示すように、シャフトの軸線Ｐがヘッド１０の中心線Ｐ１から体側にずらす（構えた際、例えば、５ｍｍ程度体側に位置する）ことが好ましい。
【００１７】
前記円筒形に形成されたヘッド１０の一方の端部に形成される打撃面１０ａは、ヘッド１０の材料自身によって一体形成したものであっても良いが、図に示すように、ボールに対する反発性等を考慮して、より好ましい素材によって形成された蓋状の打撃部材２０の端面１０ａによって構成しても良い。この場合、打撃部材２０は、チタン、チタン合金、ジュラルミン等のアルミ合金等によって形成されており、ヘッド１０の端部に形成された開口との間で、螺合及び／又は接着によって固定されている。なお、打撃部材２０とヘッド１０は、両者の表面が面一状になるように形成されている。
【００１８】
前記ヘッド１０は、打撃面１０ａの後方側、具体的には、シャフトの取り付け位置よりも後方側が次第に縮径するように形成されており、これによりスイングの安定化が図れるように構成されている。すなわち、このように縮径化することで、地面の凹凸やボールの側部にある障害物に当接することが防止でき、振り抜き性の向上が図れるようになる。
【００１９】
そして、ヘッド１０の打撃面１０ａと対向する端面には、中心位置に長手方向に沿って外方に開口した孔部１０ｂが形成されており、この孔部１０ｂに重量調整体３０が装着されている。重量調整体３０は、所定長さを有する円柱形状に形成されており、その外表面（頭部３０ａの外表面）は、ヘッド１０の外表面より内側に位置するように構成されている。すなわち、ヘッド１０には、孔部１０ｂの開口側に位置する凹所１０ｃが形成されており、ここに重量調整体３０の頭部３０ａを位置させて、重量調整体３０がヘッド１０に装着された際、ヘッド１０の外表面から突出することはなく、内側に位置するように構成されている。
【００２０】
前記重量調整体３０とヘッド１０との装着方法は、重量調整体３０の外周面に雄ネジ部３０ｂを形成して、ヘッド１０の孔部１０ｂに形成された雌ネジ部１０ｄとの間で、着脱可能となるように螺合させても良い（頭部３０ａに締め付け、取り外し用の長溝３０ｃが形成されている）。或いは、圧入、凹凸嵌合によって装着させたり、接着等によって固着させるような構成であっても良い。
【００２１】
前記重量調整体３０は、ヘッド１０の重量を調整すべく、ヘッド１０よりも比重の大きい材料で形成されており、具体的には、ヘッド１０がアルミ（比重；２．７ｇ／ｃｍ3）によって構成され、かつ上記した打撃部材２０がチタン（比重；４．５１ｇ／ｃｍ3）によって構成される場合、それらの全体比重よりも大きい材料、例えば、銅（比重；８．９３ｇ／ｃｍ3）、タングステン（比重；１９．３ｇ／ｃｍ3）などで構成される。この場合、複数の異なる重量調整体を形成しておき、交換可能にしても良い。
【００２２】
次に、上記ヘッド１０の寸法関係について説明する。  
前記打撃面１０ａの直径Ｄ１は５０ｍｍ、打撃面と対向する側の端面（重量調整体３０が装着される端面）の直径Ｄ２は２５ｍｍ、ヘッド１０の軸方向長さＬは１２０ｍｍ〜２４０ｍｍの範囲（本実施形態では１２５ｍｍ）で形成される。シャフト５のヘッドに対する装着位置は、シャフトの軸線Ｐから打撃面１０ａまでの長さＬ１が４８ｍｍ、後端面までの長さＬ２が７７ｍｍで形成される。ヘッド後方の小径化される領域は、それが円弧として形成されるのであれば、Ｒ２００〜Ｒ８００の範囲（本実施形態ではＲ３００）で形成される。このような範囲に設定するのは、Ｒが２００より小さくなると、ヘッド長さが短くなってスイングが安定せず、Ｒが８００よりも大きくなると、振り抜き性が悪くなってしまうことによる。なお、円弧状でなく、テーパ状に形成する場合、その角度は、上記した同様の理由から、５°〜２０°の範囲に設定される。
【００２３】
上記した構成のマレットゴルフクラブによれば、以下の作用効果が得られる。  
円柱状のヘッド１０の後方側を小径化したことで、コース上の起伏のみならず、ボール側方に障害物があっても、スイング時に邪魔にならず、振り抜き性が向上し、安定したスイングが行なえるようになる。この場合、上記した細径化したことによるヘッド後方側の重量の軽減分を、重量調整体３０によってバランスさせることができ、前後方向のバランスを向上させて安定したスイングを行なうことが可能になる。そして、重量調整体３０は、ヘッド１０の外表面よりも内側に位置することから、重量調整体３０が他物に当接して破損等することはなく、これにより、重量調整体３０部分に破損を防止するための特別な手段を講じる必要もなく、構成が簡略化される。また、上記した重量調整体３０を、ヘッド１０に対して着脱可能に構成することで、コースコンディションや、その日のプレーヤの体調等に応じて、最適な重量物に調整することも可能となる。
【００２４】
また、図２に示すように、シャフト５のヘッド１０に対する取り付け位置を、打撃面側にシフトさせたことで、アドレスした際、ボールを体の中心近傍で打球し易くなり、方向性が安定すると共に、ヘッドのブレが生じ難くなって、ターゲット方向に向けてボールを打球し易くなる。さらに、図３に示すように、シャフトの軸線Ｐを、ヘッド１０の中心線Ｐ１から体側にずらしたことで、ボールに対して視線を容易に合わせられ、安定したスイングを行なうことが可能となる。
【００２５】
図６及び図７は、本発明の第２の実施形態を示す図であり、図６は、ヘッド部分の断面図、図７は、シャフトが装着される部分のヘッドの断面図である。  
この実施形態では、ヘッド１０のシャフトの取り付け位置より後方側のシャフト取付部の対向面側における底面部中央位置に、シャフトの軸線に沿って延出する孔部１０ｅ、及びその開口側に凹所１０ｅを形成し、ここに上記した実施形態と同様な重量調整体３０をヘッド１０の外表面から突出することなく、内側に位置するように装着している。
【００２６】
通常、ヘッド１０は、地面から浮かせた状態でスイングするが、その調整が難しく、打撃面１０ａの下方で打撃してしまい安定した打撃状態が得られないことが多いが、このように重量調整体３０をヘッドの底面側に装着して重心を低下させることで、打撃面１０ａのスイートスポットが下方に下がり、安定した打撃を行なうことが可能になる。また、このような構成においても、重量調整体３０は外部に突出することは無いので、他物に当たって損傷等することはない。
【００２７】
また、上記したようにヘッド１０の底面部に重量調整体３０を装着する場合、シャフト５との関係で、図８、或いは図９に示す位置関係にすることが好ましい。すなわち、図７に示した構成では、孔部１０ｅは、シャフトの軸線に沿うように形成したが、実際にシャフトを握ってアドレスすると、シャフトは傾斜した状態となり、重量調整体３０はヘッドの最下端に位置せず、変移してしまう。このため、図８に示すように、シャフト５の軸心Ｐをヘッド１０の中心線から体側にずらした構成のマレットゴルフクラブでは、シャフトの軸心Ｐが、重量調整体３０の内部Ｇの位置で交差するように設定しておくのが良い。このように構成することで、アドレスした際の重量バランスを、効率的に下方にシフトさせることが可能になり、内部Ｇで交差するので、ヘッドがブレにくくなる。また、図９に示すように、シャフト５の軸心Ｐをヘッド１０の中心線と一致させた構成のマレットゴルフクラブでは、アドレスした際の重量調整体３０の中心線（垂線）がヘッド１０の中心位置Ｃを通るように設定するのが良い。また、重量調整体３０を内方に延出し、軸心Ｐが重量調整体３０の軸心と交差するようにしても良い。このように構成することで、ヘッドがブレにくくなる。
【００２８】
上記したような取り付け関係にすることで、バランスが向上して、効率良く打撃することが可能になる。
【００２９】
以上、本発明の実施形態について説明したが、本発明は、ヘッドに対して重量調整体が装着されると共に、それがヘッドの外表面から内側に位置する（外表面から突出しない）ように構成されていれば、その装着方法、位置等については、適宜変形することが可能である。また、ヘッドの形状についても、適宜変形することが可能である。
【産業上の利用可能性】
【００３０】
本発明は、マレットゴルフに使用する以外にも、ゲートボールのようなボールをターゲット方向に向けて転がす球技に使用することが可能である。
【図面の簡単な説明】
【００３１】
【図１】本発明に係るマレットゴルフクラブの一実施形態を示す図であり、全体構成を示す側面図。
【図２】ヘッド部分の断面図。
【図３】シャフトが装着される部分のヘッドの断面図。
【図４】ヘッド部分の背面図。
【図５】重量調整体が装着される部分のヘッドの拡大断面図。
【図６】本発明に係るマレットゴルフクラブの第２の実施形態を示す図であり、ヘッド部分の断面図。
【図７】シャフトが装着される部分のヘッドの断面図。
【図８】ヘッドの底面部に重量調整体を装着した第１の変形例を示す断面図。
【図９】ヘッドの底面部に重量調整体を装着した第２の変形例を示す断面図。
【符号の説明】
【００３２】
１  マレットゴルフクラブ
５  シャフト
１０  ヘッド
孔部  １０ｂ，１０ｅ
３０  重量調整体
【図１】
2005152100.tif 000003
【図２】
2005152100.tif 000004
【図３】
2005152100.tif 000005
【図４】
2005152100.tif 000006
【図５】
2005152100.tif 000007
【図６】
2005152100.tif 000008
【図７】
2005152100.tif 000009
【図８】
2005152100.tif 000010
【図９】
2005152100.tif 000011